(57)【要約】【課題】生地一枚で防透性を確保し、さらに生地の厚さも任意に設定することを可能にする防透性衣類を提供する。【解決手段】白系列色の表糸１と、表糸１と異なる色彩からなる裏糸２によってニット生地を編成し、ニット生地の表面３への裏糸２の露出を少なくして表面３が白系列色の白色状態を維持し、ニット生地の裏面４は表面よりも低い編み密度を有し色フィルターとして機能する。【選択図】図１
2019218653.tif 000002
【特許請求の範囲】
【請求項１】
白系列色の表糸と、前記表糸と異なる色彩からなる裏糸によってニット生地を編成し、前記ニット生地の表面への前記裏糸の露出を少なくして該表面が白系列色の白色状態を維持し、前記ニット生地の裏面は表面よりも低い編み密度を有し色フィルターとして機能することを特徴とする防透性衣類。
【請求項２】
前記ニット生地の裏面は、青系列色の色彩を呈することを特徴とする請求項１に記載の防透性衣類。
【請求項３】
カチオン糸以外の通常糸からなる前記表糸と、カチオン糸からなる前記裏糸を用いて前記ニット生地を編成し、前記ニット生地全体を白系列色で染色し青系列色でカチオン染色を重ねて行うことにより、前記ニット生地の表面が白系列色の色彩で裏面が青系列色の色彩を呈することを特徴とする請求項２に記載の防透性衣類。
【請求項４】
前記ニット生地は、紫外線遮蔽剤を含有する前記表糸及び前記裏糸を用いて編成されることを特徴とする請求項１乃至請求項３のいずれか１項に記載の防透性衣類。
【請求項５】
前記ニット生地は、異形断面を有する前記表糸及び前記裏糸を用いて編成されることを特徴とする請求項１乃至請求項４のいずれか１項に記載の防透性衣類。
【発明の詳細な説明】
【技術分野】
【０００１】
本発明は、生地一枚で防透性を確保できる防透性衣類に関する。
【背景技術】
【０００２】
従来から、白系列色を使用した衣類は下着が透けて見え易いために、生地をできる限り厚くする又は表地の裏面に裏地を取り付けることが行われている。このような先行技術の一例として、特許第５２８６３８５号公報（特許文献１）には、内部に着用する下着の色が透けて見えない裏地付白衣を提供することを目的として、白色または有彩色の表地と、前記表地の少なくとも一部に付された、マンセル表色系（ＪＩＳ  Ｚ８７２１）による明度が３．５以下の有彩色または無彩色の裏地とを含む「裏地付白衣」が提案されている。
【先行技術文献】
【特許文献】
【０００３】
【特許文献１】特許第５２８６３８５号公報
【発明の概要】
【発明が解決しようとする課題】
【０００４】
しかし、特許文献１に記載の従来の防透性衣類では、生地が厚くなる、あるいは裏地が付くことにより、活動性が落ちる、被服内の温度が上昇する、速乾性に劣る等の問題を有している。
そこで、本発明は、上記問題に鑑みて本願発明者が鋭意開発したものであり、生地一枚で防透性を確保し、さらに生地の厚さも任意に設定することを可能にする防透性衣類を提供することを目的とする。
【課題を解決するための手段】
【０００５】
上記の課題を解決するために、請求項１に記載の発明は、白系列色の表糸と、前記表糸と異なる色彩からなる裏糸によってニット生地を編成し、前記ニット生地の表面への前記裏糸の露出を少なくして該表面が白系列色の白色状態を維持し、前記ニット生地の裏面は表面よりも低い編み密度を有し色フィルターとして機能することを特徴とする。
【０００６】
また、請求項２に記載の発明は、請求項１に記載の前記ニット生地の裏面は、青系列色の色彩を呈することを特徴とする。
【０００７】
また、請求項３に記載の発明は、カチオン糸以外の通常糸からなる前記表糸と、カチオン糸からなる前記裏糸を用いて請求項２に記載の前記ニット生地を編成し、前記ニット生地全体を白系列色で染色し青系列色でカチオン染色を重ねて行うことにより、前記ニット生地の表面が白系列色の色彩で裏面が青系列色の色彩を呈することを特徴とする。
【０００８】
また、請求項４に記載の発明は、請求項１乃至請求項３に記載の前記ニット生地は、紫外線遮蔽剤を含有する前記表糸及び前記裏糸を用いて編成されることを特徴とする。
【０００９】
また、請求項５に記載の発明は、請求項１乃至請求項４に記載の前記ニット生地は、異形断面を有する前記表糸及び前記裏糸を用いて編成されることを特徴とする。
【発明の効果】
【００１０】
以上のように、本発明にかかる防透性衣類は、従来のように裏地を使用せず、ニット生地の編成により構成されることから、任意の厚さの生地で防透性を発揮することが可能になる。
【００１１】
また、表面を白系列色としたことにより、学校用の体操服、医療用の白衣などの防透性衣類を提供することができる。
【００１２】
また、カチオン糸以外の通常糸からなる表糸とカチオン糸からなる裏糸を用いてニット生地を編成することにより、表面（白系列色）と裏面（青系列色他）を異なる色彩にすることが容易になる。
【００１３】
また、紫外線遮蔽材を含有した表糸および裏糸を用いることにより、屋外活動用の防透性衣類を提供することができる。
【００１４】
また、異形断面を有する表糸および裏糸を用いることにより、吸汗速乾性に優れ、かつ肌への刺激が少ない防透性衣類を提供することができる。
【図面の簡単な説明】
【００１５】
【図１】本発明にかかるニット生地の模式図である。
【図２】本発明にかかるニット生地の表面拡大写真である。
【図３】本発明にかかるニット生地の裏面拡大写真である。
【図４】一般的なニット生地の表面拡大写真である。
【図５】一般的なニット生地の裏面拡大写真である。
【発明を実施するための形態】
【００１６】
以下、本発明の実施の一形態について図面を参酌しながら説明する。なお、本発明にかかるニット生地の各構成については、以下の実施例に限定されるものではなく、使用状況によって適宜変更することができる。
【００１７】
図１は、本発明にかかるニット生地の模式図である。
図１に示すように、ニット生地は、表糸１と裏糸２によって編成される。表糸１の色彩は白系列色とし、裏糸２の色彩は、青系列色その他の色彩を任意に選択することができる。学校用の体操服、医療用の白衣などの防透性衣類を提供する場合は、表面３の白色状態に与える影響を少なくするため、裏糸２の色彩は、青系列色を選択するのが好ましい。また、ニット生地の表面３への裏糸２の露出（裏糸が表面に露出する部分５）を少なくすることにより、表面３の白色状態を維持する。また、ニット生地の裏面４は、表面３よりも低い編み密度を有し色フィルターとして機能して防透性を発揮する。なお、ニット生地の表面３と裏面４の編み組織については後述する。
【００１８】
本発明にかかるニット生地の実施例について、具体的に説明する。
表糸１はカチオン糸以外の通常糸、裏糸２はカチオン糸を用いてニット生地を編成する。編立完了後に、ニット生地全体を明度８以上の白系列色で染色した後、マンセル色相環１０ＢＧ〜１０Ｐの青系列色でカチオン染色を行うことにより、表面３が白系列色で裏面４が青系列色となるニット生地を実現することができる。このニット生地を縫製することにより、学校用の体操服、医療用の白衣などの防透性衣類に仕立てることができる。
【００１９】
次に、本発明にかかるニット生地の編み組織について、図面を参酌しながら説明する。
図２は本発明にかかるニット生地の表面拡大写真、図３はその裏面拡大写真である。また、図４は一般的なニット生地の表面拡大写真、図５はその裏面拡大写真である。
図２に示すように、本発明にかかるニット生地の表面は平編み（天竺編み）で構成され、図４に示す一般的な生地が１ｃｍあたり１２ループ程度の編み込みなのに対し、１６ループ程度編み込んでいる。
また、図３に示すように、本発明にかかるニット生地の裏面はメッシュ状に編むことにより、表面よりも低い編み密度を有し、表面への裏糸の露出を減らしている。
【００２０】
次に、本発明にかかるニット生地の防透性の効果を実証する試験方法及び結果について説明する。
（試験方法）ＪＩＳ  Ｚ  ８７２９  準用（ＪＩＳ  Ｌ  ０８０５に規定されている汚染用グレースケール１号の色票の上にそれぞれの試料を乗せ、下記分光測色計を使用して明度を測定。）
防透性は次式より算出。
防透性（％）＝［グレースケール（グレー）使用時の明度／グレースケール（白）使用時の明度］×１００
（試験機器及び測定条件）ＫＯＮＩＣＡ  ＭＩＮＯＲＵＴＡ  分光測色計  ＣＭ−７００ｄ  １０度視野  光源  Ｄ６５  正反射光除去  
（試験結果）本発明にかかるニット生地（実施例）及び他社製防透性衣類に使用されている生地（比較例）の防透性（％）を表１に示す。
【００２１】
【表１】
2019218653.tif 000003
【００２２】
表１に示すとおり、本発明にかかるニット生地の実施例Ａ（表面／白系列色、裏面／青系列色）及び実施例Ｂ（表面／白系列色、裏面／グレー）は、他社製防透性衣類に使用されている生地の比較例Ａ及びＢと比べて、防透性の数値が高いことが確認できた。
【００２３】
また、本発明にかかるニット生地については、表糸及び裏糸の種類を変えることにより、以下に示すような機能を付加することができる。
（１）表糸及び裏糸に、セラミック等の紫外線遮蔽剤を含有する糸を用いることにより、紫外線遮蔽性のある屋外活動用の防透性衣類を提供できる。
（２）表糸及び裏糸に、円形断面以外の異形断面を有する繊維を用いることにより、吸汗速乾機能に優れ、かつ肌触りの良い運動用等の防透性衣類を提供できる。
【００２４】
また、本発明により、表裏で色が違うニット生地を実現することができ、裏返して着用できる薄手のリバーシブル防透性衣類を提供できる。さらに、裏糸が表面に露出する割合を調整してニット生地を編み立てることにより、見る角度により色合いが変化する等デザイン性に優れた防透性衣類を提供できる。
【符号の説明】
【００２５】
１  表糸
２  裏糸
３  表面
４  裏面
５  裏糸が表面に露出する部分
【図１】
2019218653.tif 000004
【図２】
2019218653.tif 000005
【図３】
2019218653.tif 000006
【図４】
2019218653.tif 000007
【図５】
2019218653.tif 000008